(57)【要約】【課題】端子金具がランスに確実に保持されるようにする。【解決手段】コネクタ１０は、端子金具８０を後方から挿入可能なキャビティ２１を有するハウジング２０と、ハウジング２０におけるキャビティ２１の内壁から前方へ片持ち状に突出する形態とされ、キャビティ２１内に端子金具８０が挿入される過程では、端子金具８０と当接して撓み変形させられ、キャビティ２１内に端子金具８０が正規挿入された状態では、端子金具８０に後方から係止してこの端子金具８０を抜け止め保持するランス４０とを備える。ハウジング２０におけるキャビティ２１の内壁には、ランス４０が端子金具８０の挿入過程で撓み変形する方向とは逆方向に撓み変形した場合にこのランス４０と当接してそれ以上の撓み動作を規制する規制部２９が形成されている。【選択図】図６
2012216344.tif 000002
【特許請求の範囲】
【請求項１】
端子金具を後方から挿入可能なキャビティを有するハウジングと、
前記ハウジングにおける前記キャビティの内壁から前方へ片持ち状に突出する形態とされ、前記キャビティ内に前記端子金具が挿入される過程では、前記端子金具と当接して撓み変形させられ、前記キャビティ内に前記端子金具が正規挿入された状態では、復帰方向に変位して前記端子金具を後方から抜け止め保持するランスとを備えたコネクタであって、
前記ハウジングにおける前記キャビティの内壁には、前記ランスが前記端子金具の前記挿入過程で撓み変形する方向とは逆方向に撓み変形しようとした場合にこのランスと当接してそれ以上の撓み動作を規制する規制部が形成されていることを特徴とするコネクタ。
【請求項２】
前記規制部が前記端子金具の挿入方向に沿って延びる形態とされ、前記挿入過程の前記端子金具が前記規制部によって摺動支持されることを特徴とする請求項１記載のコネクタ。
【請求項３】
前記規制部が、前記ハウジングにおける前記キャビティの内壁両側面から突出し、かつ前記ハウジングの前端から後方へ延びる形態とされていることを特徴とする請求項１又は２記載のコネクタ。
【請求項４】
前記ランスの先端部の両側縁には、前記規制部と当接する一対の当接部が張り出して形成されていることを特徴とする請求項１ないし３のいずれか１項記載のコネクタ。
【請求項５】
前記当接部が、前記ランスにおいて前記端子金具を係止する係止部よりも前方に配置されていることを特徴とする請求項４記載のコネクタ。
【発明の詳細な説明】
【技術分野】
【０００１】
本発明は、コネクタに関する。
【背景技術】
【０００２】
特許文献１に記載されたコネクタは、キャビティを有するハウジングと、ハウジングにおけるキャビティの内壁に撓み可能に形成されたランスとを備えている。ランスは、ハウジングにおけるキャビティの内壁下面から前方へ片持ち状に突出する形態とされている。ランスの先端部には、係止突起が上向きに突出して形成されている。そして、ハウジングのキャビティ内には後方から端子金具が挿入される。挿入過程では、端子金具が係止突起と当接することでランスが下方へ撓み変形させられ、正規挿入時には、ランスが復帰方向となる上方へ変位して、係止突起が端子金具に後方から係止可能に配置され、これによって端子金具がキャビティ内に抜け止め保持されるようになっている。
【先行技術文献】
【特許文献】
【０００３】
【特許文献１】特開２００６−２３６６７８号公報
【発明の概要】
【発明が解決しようとする課題】
【０００４】
ところで、上記従来のコネクタにおいて、端子金具に接続された電線が後方へ引っ張られると、係止突起が端子金具とともに後退させられて、ランスの先端部が上方へ強制的に持ち上げられ、最悪の場合、ランスの根元部分が座屈する可能性があった。その結果、端子金具を保持する機能が損なわれるおそれがあった。
【０００５】
本発明は上記のような事情に基づいて完成されたものであって、端子金具が確実に保持されるようにすることを目的とする。
【課題を解決するための手段】
【０００６】
上記の目的を達成するための手段として、請求項１の発明は、端子金具を後方から挿入可能なキャビティを有するハウジングと、前記ハウジングにおける前記キャビティの内壁から前方へ片持ち状に突出する形態とされ、前記キャビティ内に前記端子金具が挿入される過程では、前記端子金具と当接して撓み変形させられ、前記キャビティ内に前記端子金具が正規挿入された状態では、復帰方向に変位して前記端子金具を後方から抜け止め保持するランスとを備えたコネクタであって、前記ハウジングにおける前記キャビティの内壁には、前記ランスが前記端子金具の前記挿入過程で撓み変形する方向とは逆方向に撓み変形しようとした場合にこのランスと当接してそれ以上の撓み動作を規制する規制部が形成されているところに特徴を有する。
【０００７】
請求項２の発明は、請求項１に記載のものにおいて、前記規制部が前記端子金具の挿入方向に沿って延びる形態とされ、前記挿入過程の前記端子金具が前記規制部によって摺動支持されるところに特徴を有する。
【０００８】
請求項３の発明は、請求項１又は２に記載のものにおいて、前記規制部が、前記ハウジングにおける前記キャビティの内壁両側面から突出し、かつ前記ハウジングの前端から後方へ延びる形態とされているところに特徴を有する。
【０００９】
請求項４の発明は、請求項１ないし３のいずれか１項に記載のものにおいて、前記ランスの先端部の両側縁には、前記規制部と当接する一対の当接部が張り出して形成されているところに特徴を有する。
【００１０】
請求項５の発明は、請求項４に記載のものにおいて、前記当接部が、前記ランスにおいて前記端子金具を係止する係止部よりも前方に配置されているところに特徴を有する。
【発明の効果】
【００１１】
＜請求項１の発明＞
仮に、端子金具に後方への引っ張り力が作用すると、ランスが端子金具の挿入過程で撓み変形する方向と逆方向に撓み変形しようとするものの、本発明によれば、前記逆方向に撓み変形しようとするランスに規制部が当接してランスのそれ以上の撓み動作が規制される。したがって、ランスが座屈する事態が回避され、端子金具がキャビティ内に確実に保持される。
【００１２】
＜請求項２の発明＞
挿入過程の端子金具が規制部によって摺動支持されるため、端子金具が正規の挿入位置に確実に至らしめられる。この場合、規制部とは別に端子金具のガイド構造が形成されるよりも全体の構成が簡素化される。
【００１３】
＜請求項３の発明＞
規制部がハウジングにおけるキャビティの内壁両側面から突出し、かつハウジングの前端から後方へ延びる形態とされているため、端子金具が規制部に確実に摺動支持されるとともに、規制部自体の剛性が高められる。
【００１４】
＜請求項４の発明＞
当接部がランスの先端部の両側縁に張り出して形成されているため、ランスの係止構造が当接部によって制約を受けるのが防止される。
【００１５】
＜請求項５の発明＞
当接部がランスにおいて端子金具を係止する係止部よりも前方に配置されているため、力のモーメントが大きな部位で当接部が規制部にしっかり当接することになる。したがって、ランスが逆方向に撓み変形するのが確実に防止される。
【図面の簡単な説明】
【００１６】
【図１】本発明の実施形態１に係るコネクタの側面視方向の断面図である。
【図２】端子金具が挿入される前のコネクタの側面視方向の断面図である。
【図３】ハウジングのキャビティの平面視方向の断面図である。
【図４】端子金具が挿入されたハウジングのキャビティの正面視方向の断面図である。
【図５】図１の要部拡大図である。
【図６】ランス、当接部、及び規制部の拡大斜視図である。
【発明を実施するための形態】
【００１７】
＜実施形態１＞
本発明の実施形態１を図１ないし図６によって説明する。本実施形態に係るコネクタ１０は、ハウジング２０、ランス４０、及び端子金具８０を備えている。ハウジング２０は図示しない相手ハウジングと嵌合可能とされている。なお、以下の説明において前後方向については相手ハウジングとの嵌合面側を前方とする。
【００１８】
端子金具８０は導電金属製であって、図１に示すように、筒状の箱部８１と、箱部８１の後方に連なる圧着部８２とを有している。圧着部８２は、電線９０の端末部における芯線９１にかしめ接続されるオープンバレル状のワイヤバレル８３と、電線９０の被覆８４にかしめ接続されるオープンバレル状のインシュレーションバレル８４とからなる。箱部８１内には、図４に示すように、撓み可能な弾性接触片８５が形成されている。両ハウジングの嵌合に伴い、相手ハウジングに装着された雄端子金具１００の雄タブ１０１が箱部８１内に前方から挿入されると、雄タブ１０１が弾性接触片８５と弾性的に接触し、これによって両端子金具８０、１００が電気的に接続されるようになっている。また、図１及び図４に示すように、箱部８１の下面には係止突起８６が形成されている。
【００１９】
ハウジング２０は合成樹脂製であって、全体としてブロック状をなしている。そして、ハウジング２０には、図２に示すように、キャビティ２１が前後方向に延びて形成されている。キャビティ２１は、ハウジング２０の後面に開口する形態とされ、その開口部分を通して後方から端子金具８０が挿入される。また、キャビティ２１の前方には、端子金具８０を前止め可能な前壁２２が形成されている。
【００２０】
前壁２２には、図１に示すように、雄タブ１０１を挿入可能なタブ挿入孔２３が開口して形成されている。また、前壁２２には、ランス４０の型抜きに伴って開口する型抜き孔２４が形成されている。図４に示すように、ランス４０は型抜き孔２４を通して前方から目視可能とされている。なお、図２に示すように、前壁２２は型抜き孔２４の開口面よりも前方に突出して配置されている。
【００２１】
ランス４０は、同じく図２に示すように、ハウジング２０におけるキャビティ２１の内壁下面に一体に形成されている。詳しくはランス４０は、キャビティ２１の内壁下面に突成された基端部４１と、基端部４１の前端から前方へ片持ち状に突出する本体部４２と、本体部４２の上面に突成された係止部４３とを有している。基端部４１は、キャビティ２１の後端部から略中央部にかけてリブ状に延びる形態とされている。基端部４１の上面は、後端から前方へ向けて上り勾配となる斜面４４と、斜面４４の上端から前端にかけて略水平に連なるフラット面４５とからなる。本体部４２は、基端部４１の前端上部に連なり、その連結位置を支点として上下方向（高さ方向）に撓み変形可能とされている。
【００２２】
係止部４３の後面は、本体部４２が自然状態にあるときに基端部４１のフラット面４５の前端から前方へ向けて上り勾配となる案内面４６とされている。また、係止部４３の前面は、本体部４２が自然状態にあるときに下端から上端にかけて前方へせり出す逆テーパ状の係止面４７とされている。図４及び図６に示すように、係止部４３の両側面は本体部４２の両側面に高さ方向に段差なく連続して配置されている。また、基端部４１、本体部４２、及び係止部４３はいずれも前後方向の全長に亘ってほぼ同幅をもって形成されている。
【００２３】
さて、ランス４０（本端部）の先端部の両側縁には、一対の当接部４８が張り出して形成されている。両当接部４８は、それぞれ矩形板状をなし、係止部４３よりも前方に配置されている。具体的には、図２に示すように、両当接部４８の後端は係止面４７とほぼ同じ前後位置に配置され、両当接部４８の前端は本体部４２の前端（ランス４０全体の前端）とほぼ同じ前後位置に配置されている。より具体的には、図６に示すように、両当接部４８の前面は本体部４２の前面に幅方向に段差なく連続して配置され、両当接部４８の上面は係止面４７より前方に位置する本体部４２の上面から一段落ちて配置されている。
【００２４】
ハウジング２０におけるキャビティ２１の内壁両側面には、図４に示すように、一対の規制部２９が内向きに突出して形成されている。両規制部２９は、図２及び図３に示すように、それぞれ前後方向に延びるリブ状をなし、ハウジング２０の前端における型抜き孔２４の開口面からハウジング２０の略中央部にかけてほぼ水平に配置されている。両規制部２９の後端部は、両当接部４８とその上方（キャビティ２１内に端子金具８０が挿入される過程でランス４０が撓み変形する方向とは逆方向）で重なる位置に配置されている。詳しくは、両規制部２９の後端部は、ランス４０が自然状態にあるときに両当接部４８の上端部と極僅かの隙間をあけて対向して配置されている。また、両規制部２９は、図４に示すように、ランス４０の係止部４３を挟んだ幅方向両側で、かつキャビティ２１と型抜き孔２４との間を区画する位置に配置されている。
【００２５】
次に、本実施形態に係るコネクタ１０の作用効果を説明する。
ハウジング２０のキャビティ２１内に後方から電線９０付きの端子金具８０が挿入される。端子金具８０が挿入される過程では、箱部８１の下端がランス４０の案内面４６を摺動して、ランス４０の本体部４２が下方へ撓み変形させられる。端子金具８０が正規挿入されると、図１及び図５に示すように、本体部４２が復帰方向となる上方へ変位して、係止部４３が端子金具８０の係止突起８６に後方から係止可能に配置される。これにより、端子金具８０がキャビティ２１内に抜け止め保持される。また、端子金具８０が挿入される過程では、箱部８１の下面両縁部が両規制部２９に摺動案内される。さらに、図４に示すように、端子金具８０が正規挿入されると、箱部８１の下面両縁部が両規制部２９に下方から当接支持される。
【００２６】
その後、電線９０が後方へ引っ張られると、本体部４２が後端して上方へ持ち上げられ、ひいては本体部４２の根元部分が座屈するおそれがある。しかるに本実施形態によれば、電線９０の引っ張りに起因して本体部４２が上方へ持ち上げられようとしても、両当接部４８が両規制部２９に下方から当接することで、本体部４２のそれ以上の撓み動作が規制される。したがって、本体部４２の根元部分が座屈する事態が回避される。結果、端子金具８０がハウジング２０のキャビティ２１内における正規挿入位置に確実に保持される。
【００２７】
また、本実施形態によれば、挿入過程の端子金具８０が規制部２９によって摺動支持されるため、端子金具８０が正規挿入位置に確実に至らしめられる。この場合、規制部２９とは別に端子金具８０のガイド構造が形成されるよりもハウジング２０全体の構成が簡素化される。
【００２８】
また、規制部２９がハウジング２０におけるキャビティ２１の内壁両側面から突出し、かつハウジング２０の前端から後方へ延びる形態とされているため、端子金具８０が規制部２９に確実に摺動支持されるとともに、規制部２９の剛性が高められる。
【００２９】
また、当接部４８がランス４０の先端部の両側縁に張り出して形成されているため、ランス４０の係止構造が当接部４８によって制約を受けるのが防止される。さらに、当接部４８がランス４０において端子金具８０を係止する係止部４３よりも前方に配置されているため、力のモーメントが大きな部位で当接部４８が規制部２９にしっかり当接することになる。したがって、ランス４０が逆方向に撓み変形するのが確実に防止される。
【００３０】
＜他の実施形態＞
本発明は上記記述及び図面によって説明した実施形態に限定されるものではなく、例えば次のような実施形態も本発明の技術的範囲に含まれる。
（１）ランスの両側縁から側方に張り出す形態の当接部を省略することも可能である。この場合、例えば、規制部をランスの先端部と上下方向で重なる位置までせり出させてランスの先端部と当接可能となるようにするとよい。
（２）当接部が係止部と前後方向で重なる位置に配置されていてもよい。
（３）規制部が当接部と干渉する部分のみに短く形成されるものであってもよい。
（４）端子金具は雄タブを有する雄端子金具であってもよい。
（５）規制部がキャビティの内壁に一つだけ形成されるものであってもよい。
【符号の説明】
【００３１】
１０…コネクタ
２０…ハウジング
２１…キャビティ
２９…規制部
４０…ランス
４８…当接部
８０…端子金具
８６…係止突起
【図１】
2012216344.tif 000003
【図２】
2012216344.tif 000004
【図３】
2012216344.tif 000005
【図４】
2012216344.tif 000006
【図５】
2012216344.tif 000007
【図６】
2012216344.tif 000008